(57)【要約】【課題】上下に重ねた場合、横方向だけでなく、前後方向にもズレ難いブックスタンドを提供すること。【解決手段】ブックスタンド１は、線材を曲げたり溶接して底フレーム部１１や背フレーム部、および左右両側フレーム部１３，１４等を構成したもので、底フレーム部１１の左右両側の前後には、それぞれ、底フレーム部１１より下方へ突出する下側凸部１１ａ，１１ｂを設ける一方、左右両側フレーム部１３，１４の上部には当該ブックスタンド１を積み重ねた際にそれぞれ下側凸部１１ａ，１１ｂの間から水平方向等に突出する上側凸部１３ａ，１４ａを設けている。【選択図】図５
0003179149.tif 000002
【実用新案登録請求の範囲】
【請求項１】
線材を曲げたり溶接して底フレーム部や背フレーム部、および左右両側フレーム部等を構成したブックスタンドであって、
底フレーム部の左右両側または左右両側フレーム部の前後には、それぞれ、底フレーム部より下方へ突出する下側凸部が設けられている一方、左右両側フレーム部の上部には当該ブックスタンドを積み重ねた際にそれぞれの下側凸部の間から突出する上側凸部が設けられていることを特徴とするブックスタンド。
【請求項２】
請求項１記載のブックスタンドにおいて、
上側凸部は、構成が同じ他のブックスタンドをその上に積み重ねた際、その上に積み重ねたブックスタンドの下側凸部の間から水平方向へ突出するように構成したことを特徴とするブックスタンド。
【請求項３】
請求項１または請求項２に記載のブックスタンドにおいて、
下側凸部は、底フレーム部に近い基部より先端部の方が底フレーム部の中央側に位置するように内側に傾斜していることを特徴とするブックスタンド。
【請求項４】
請求項１〜請求項３のいずれか一の請求項に記載のブックスタンドにおいて、さらに、
左右両側フレーム部の間には、背フレーム部を構成する横方向に延びる線材に基端部が着脱およびスライド可能に取り付けられ、その間を自在に仕切る１または複数の間仕切りを設けたことを特徴とするブックスタンド。
【考案の詳細な説明】
【技術分野】
【０００１】
本考案は、線材を曲げたり溶接して底フレーム部や背フレーム部、および左右両側フレーム部等を構成したブックスタンドに関する。
【背景技術】
【０００２】
線材を曲げたり溶接して底フレーム部や背フレーム部、および左右両側フレーム部等を構成した従来のブックスタンドとして、例えば、登録実用新案第３１０４９９９号公報や意匠登録第１３９３２３４号公報に掲載されたブックスタンドが提案されている（例えば、特許文献１，２参照。）。このブックスタンドでは、線材タイプであるため、収容した本や雑誌などを外側から簡単に確認できると共に、横に並べて使用したり、２個以上積み重ねて使用できる。
【先行技術文献】
【特許文献】
【０００３】
【特許文献１】登録実用新案第３１０４９９９号公報
【特許文献２】意匠登録第１３９３２３４号公報
【考案の概要】
【考案が解決しようとする課題】
【０００４】
しかし、前述の特許文献１,２に記載の従来のブックスタンドでは、底フレーム部の両側に横方向に突出した凸部が設けられているため、このブックスタンドを上下に積み重ねた場合、横方向へのズレは阻止できるものの、前後方向のズレは阻止できないため、前後方向にはズレ易いという問題があった。
【０００５】
そこで、本考案は、このような問題に着目してなされたもので、ブックスタンドを上下に重ねた場合、横方向だけでなく、前後方向にもズレ難いブックスタンドを提供することを目的とする。
【課題を解決するための手段】
【０００６】
前記課題を解決するため、本考案に係るブックスタンドは、線材を曲げたり溶接して底フレーム部や背フレーム部、および左右両側フレーム部等を構成したブックスタンドであって、底フレーム部の左右両側または左右両側フレーム部の前後には、それぞれ、底フレーム部より下方へ突出する下側凸部が設けられている一方、左右両側フレーム部の上部には当該ブックスタンドを積み重ねた際にそれぞれの下側凸部の間から突出する上側凸部が設けられていることを特徴とする。
ここで、上側凸部は、構成が同じ他のブックスタンドをその上に積み重ねた際、その上に積み重ねたブックスタンドの下側凸部の間から水平方向へ突出するように構成すると良い。
また、下側凸部は、底フレーム部に近い基部より先端部の方が底フレーム部の中央側に位置するように内側に傾斜しているとさらに良い。
また、さらに、左右両側フレーム部の間には、背フレーム部を構成する横方向に延びる線材に基端部が着脱およびスライド可能に取り付けられ、その間を自在に仕切る１または複数の間仕切りを設けても良い。
【考案の効果】
【０００７】
本考案のブックスタンドでは、左右両側フレーム部の上部には、構成が同じ他のブックスタンドをその上に積み重ねた際、その上に積み重ねたブックスタンドの下側凸部の間から突出する上側凸部が設けられているため、同様のブックスタンドを積み重ねた際に、前後方向にズレようした場合には、上側凸部と下側凸部とが引っ掛かり、水平方向のズレを防止できるだけでなく、前後方向のズレも防止できる。
【図面の簡単な説明】
【０００８】
【図１】実施形態１のブックスタンドの斜視図である。
【図２】実施形態１のブックスタンドの正面図である。
【図３】実施形態１のブックスタンドの右側面図である。
【図４】実施形態１のブックスタンドの平面図である。
【図５】実施形態１のブックスタンドを例えば２つ上下に重ねた状態を示す斜視図である。
【図６】実施形態１のブックスタンドを例えば２つ上下に重ねた状態を示す正面図である。
【図７】（ａ），（ｂ）それぞれ、図６におけるＡ部分の拡大正面図、拡大平面図である。
【図８】実施形態２のブックスタンドの正面図である。
【図９】実施形態２のブックスタンドの右側面図である。
【図１０】実施形態２のブックスタンドを例えば２つ上下に重ねた状態を示す斜視図である。
【考案を実施するための形態】
【０００９】
以下、本考案に係るブックスタンドの実施の形態を、添付図面を参照しながら詳細に説明する。
【００１０】
実施の形態１．
実施形態１のブックスタンド１は、図１〜図４に示すように、例えば、直径が例えば４ｍｍまたは５ｍｍの中実または中空の鉄やアルミ等の金属製や合成樹脂製の線材を曲げたり，溶接して、大きな格子空間を形成した格子状の底フレーム部１１、背フレーム部１２、左側フレーム部１３および右側フレーム部１４を構成しており、左右両側フレーム部１３，１４の間には背フレーム部１４を構成する横方向に延びる上下２本の線材に着脱およびスライド可能に取り付けた複数（ここでは、便宜上、例えば、２つとする。）の間仕切り１５，１６を設けている。ここで、このブックスタンド１では、図１や図３等に示すように、左右両側フレーム部１３，１４および間仕切り１５，１６の前方（正面側）の線材は、それぞれの中央が前方に突出するように湾曲形状に構成している。なお、ここでは、左右両側フレーム部１３，１４の前方（正面側）の線材の曲率は、間仕切り１５，１６の前方（正面側）の線材の曲率よりも小さくしてデザインにアクセントを与えている。
【００１１】
そして、底フレーム部１１の左右両側の前後、すなわち左側フレーム部１３および右側フレーム部１４の下端部の前後には、それぞれ、底フレーム部１１を構成する線材を下方へ曲げることによって底フレーム部１１より下方へ突出する下側凸部１１ａ，１１ｂを前後方向に所定間隔だけ離して設けている。
【００１２】
また、図１〜図4に示すように、左右両側フレーム部１３，１４の上部には、それぞれ、左右両側フレーム部１３，１４の線材を外側の横方向へ曲げることによって当該ブックスタンド１を積み重ねた際にそれぞれ左右両側の下側凸部１１ａ，１１ｂの間から横方向（水平方向）へ突出する上側凸部１３ａ，１４ａを設けている。ここで、左右両側フレーム部１３，１４の上側凸部１３ａ，１４ａの前後方向の長さは、それぞれ、左右両側フレーム部１３，１４の下側凸部１１ａ，１１ｂ間に入るまたは嵌るように、下側凸部１１ａ，１１ｂ間の間隔以下としている。
【００１３】
そのため、このブックスタンド１を２個以上用意して、図５および図６に示すように、上下方向に積み重ねた場合、上段のブックスタンド１における左右両側フレーム部１３，１４の下側凸部１１ａ，１１ｂの間から、下段のブックスタンド１における左右両側フレーム部１３，１４の上側凸部１３ａ，１４ａが水平方向（横方向）へ突出する。なお、図５および図６では、ブックスタンド１を２段にしか積み重ねていないが、３段以上に積み重ねても勿論良い。
【００１４】
その結果、このブックスタンド１を上下方向に積み重ねた場合には、下段のブックスタンド１に対し上段のブックスタンド１が左右方向や前後方向にズレようとしても、図５および図６に示すように、上段のブックスタンド１における左右両側フレーム部１３，１４の下側凸部１１ａ，１１ｂが、下段のブックスタンド１における左右両側フレーム部１３，１４の上側凸部１３ａ，１４ａに当接するので、左右方向だけでなく、前後方向にもズレることを防止できる。
【００１５】
特に、このブックスタンド１では、底フレーム部１１の左右両側の前後２箇所で下方に突出させた下側凸部１１ａ，１１ｂは、図２や図７（ａ），（ｂ）等に示すように、正面視（正面から見た場合）、底フレーム部１１に近い基部より先端部の方が内側に位置するように傾斜している。そのため、このブックスタンド１を上下方向に積み重ねた後、上側のブックスタンド１に雑誌等を置くときや、上側のブックスタンド１から雑誌等を取り出す際に、上側のブックスタンド１に横方向や斜め横方向の外力が加わって下側のブックスタンド１が倒れようとしても、上側のブックスタンド１の下側凸部１１ａ，１１ｂが下側のブックスタンド１の両側フレーム部１３，１４の上部の線材に引っ掛かるので、下側のブックスタンド１から上側のブックスタンド１が脱落し難くすることができる。なお、図７（ａ），（ｂ）は、右側フレーム部１３における下側凸部１１ａと上側凸部１４ａとの重なり状態のみを示しているが、他の部位でも図７（ａ），（ｂ）と同様に重なっている。ただし、ここでは、下側凸部１１ａ，１１ｂは、その先端部が内側に位置するように傾斜させているが、本考案では、傾斜させずに、底フレーム部１１に対し垂直の下方向へ真直ぐに延ばすように曲げただけでも良い。
【００１６】
また、このブックスタンド１の左右両側フレーム部１３，１４上部から水平方向に突出させた上側凸部１３ａ，１４ａは、図４に示すように、左右両側フレーム部１３，１４に近い基部側では幅広で、かつ、左右両側フレーム部１３，１４から離れる先端部に向かうに従って幅狭となる平面視（上方から見た際）、台形状に形成されている。そのため、このブックスタンド１では、上側凸部１３ａ，１４ａが平面視（上方から見た際）、長方形状に形成されている場合よりも、ブックスタンド１を上下に積み重ね易いという効果がある。
【００１７】
また、本実施形態のブックスタンド１では、左右両側フレーム部１３，１４の間に背フレーム部１４を構成する横方向に延びる上下２本の線材に、それぞれ上下方向に向かって開口した半円筒状の中空パイプ１５ａ，１５ｂ、１６ａ，１６ｂを嵌めた複数（ここでは、例えば、２つとする。）の間仕切り１５，１６を設けている。そのため、その間仕切り１５，１６は、中空パイプ１５ａ，１５ｂ、１６ａ，１６ｂによって左右両側フレーム部１３，１４の間をスライド可能で、かつ、着脱可能になるため、収容する本や雑誌等の厚さや数に応じて臨機応変に本や雑誌等を支持することができる。
【００１８】
なお、上述の説明では、ブックスタンド１における左右両側フレーム部１３，１４の上側凸部１３ａ，１４ａは、左右両側フレーム部１３，１４の下側凸部１１ａ，１１ｂの間から横方向へ突出するように構成したが、本考案では、これに限らず、例えば、図８の正面図や図９の右側面図に示すブックスタンド１’に示すように上方向へ突出するように構成しても良い。このように構成しても、このブックスタンド１’を上下方向に積み重ねた場合には、図１０に示すように、上段のブックスタンド１’における左右両側フレーム部１３’，１４’の下側凸部１１ａ’，１１ｂ’の間から、下段のブックスタンド１’における左右両側フレーム部１３’，１４’の上側凸部１３ａ’，１４ａ’が垂直方向（上方向）へ突出する。そのため、下段のブックスタンド１’に対し上段のブックスタンド１’が前後方向や左右方向にズレようとしても、上段のブックスタンド１’における左右両側フレーム部１３’，１４’の下側凸部１１ａ’，１１ｂ’が、下段のブックスタンド１’における左右両側フレーム部１３’，１４’上側凸部１３ａ’，１４ａ’に当るので、左右方向だけでなく、前後方向にもズレることを防止できる。
【００１９】
また、図示はしないが、左側フレーム部１３の上部の凸部１３ａは、例えば、図１〜図７に示すように水平方向（左方向）に突出させる一方、右側フレーム部１４の上部の凸部１４ａは、例えば、図８および図９に示すように上方向に突出させるようにしても良いし、さらには、左右両側フレーム部１３，１４の上側凸部１３ａ，１４ａを、それぞれ、左斜め方向または右斜め方向の斜め上方向に突出させても良い。斜め方向に突出させた場合は、上方向から本や雑誌を入れる場合、上側凸部１３ａ，１４ａがそれぞれ上方に開いた形状となるので、積み重ねた際の左右方向および前後方向へのズレ防止だけでなく、本や雑誌を挿入し易いという効果が得られる。
【００２０】
また、図１〜図７に示すブックスタント１では、左右両側フレーム部１３，１４および間仕切り１５，１６それぞれの正面側（前方側）が、その中央が前側に突出するように湾曲形状にして説明したが、図８〜図１０に示すブックスタント１’のように、左右両側フレーム部１３’，１４’および間仕切り１５’，１６’をほぼ長方形状にして、その正面側（前方側）も直線形状に形成しても勿論よい。
【符号の説明】
【００２１】
１，１’  ブックスタンド
１１，１１’  底フレーム部
１１ａ，１１ｂ，１１ａ’，１１ｂ’  下側凸部
１２，１２’  背フレーム部
１３，１３’  左側フレーム部
１３ａ，１３ａ’  上側凸部
１４，１４’，１４”  右側フレーム部
１４ａ，１４ａ’  上側凸部
１５，１６，１５’，１６’  間仕切り
【図１】
0003179149.tif 000003
【図２】
0003179149.tif 000004
【図３】
0003179149.tif 000005
【図４】
0003179149.tif 000006
【図５】
0003179149.tif 000007
【図６】
0003179149.tif 000008
【図７】
0003179149.tif 000009
【図８】
0003179149.tif 000010
【図９】
0003179149.tif 000011
【図１０】
0003179149.tif 000012